(57)【要約】【課題】  複数の画像を撮影する一連の撮影の途中で、撮影者にとって望ましくない変化による撮影画像への影響を抑え、撮影失敗の可能性を低減した撮像装置を提供すること。【解決手段】  発光部材を持った外部機器との通信手段を備えた撮像装置であって、前記撮像装置は、前記撮像装置の位置情報判別手段と、前記撮像装置の方位情報判別手段と、前記外部機器の位置情報取得手段と、前記外部機器の照明部材制御手段と、を備え、前記撮像装置が露光撮影中、撮影画角である第一の範囲よりも所定の角度広い、第二の範囲内に前記外部機器が位置することを検知した場合、前記外部機器の照明部材を制御する。【選択図】図１
2020071355.tif 000002
【特許請求の範囲】
【請求項１】
発光部材を持った外部機器との通信手段を備えた撮像装置であって、
前記撮像装置は、
前記撮像装置の位置情報判別手段と、
前記撮像装置の方位情報判別手段と、
前記外部機器の位置情報取得手段と、
前記外部機器の照明部材制御手段と、
を備え、
前記撮像装置が露光撮影中、撮影画角である第一の範囲よりも所定の角度広い、第二の範囲内に前記外部機器が位置することを検知した場合、前記外部機器の照明部材を制御することを特徴とする撮像装置。
【請求項２】
前記第二の範囲は、前記第一の範囲の変化に連動し、前記第一の範囲よりも常に所定の角度広い範囲を保つことを特徴とする請求項１に記載の撮像装置。
【請求項３】
照明部材を持った外部機器との通信手段を備えた撮像装置であって、
前記撮像装置は、
前記撮像装置の位置情報判別手段と、
前記外部機器の位置情報取得手段と、
前記外部機器の方位判別手段と、
前記外部機器の照明部材制御手段と、
を備え、
前記撮像装置が露光撮影中、前記外部機器の照明部材が前記撮像装置の方向を向いていることを検知した場合、
前記外部機器の照明部材を制御することを特徴とする撮像装置。
【発明の詳細な説明】
【技術分野】
【０００１】
本発明は、撮像装置に関し、特に露光撮影中の外乱光源による撮影失敗を防ぐ撮像装置のシステムに関する。
【背景技術】
【０００２】
星空等の撮影では、長秒時露光や所定間隔毎の動画撮影を行うことが多いが、撮影時、撮像部に対して撮影範囲外の光源の光が入り込んだり、外乱となる照明光が入ってしまうと、最終的に合成された画像にも影響してしまう。特に暗部撮影では、撮影者、その他カメラ周囲にいる人が不意に携帯電話やスマートフォンなど、モバイル機器の液晶やライトなどの照明を付けてしまうと、露光中のカメラにも映り込み、長時間にわたる撮影が失敗してしまうことがある。
【０００３】
このような長秒時露光や所定間隔毎の動画撮影の際に、失敗を防ぐための技術も検討されている。特許文献１には、撮影中に不要な被写体が撮影画角内に入ってきた場合、画角外に移動するよう促す技術が開示されている。また、特許文献２には、カメラが露光撮影中、ブレや輝度の変動を検知すると、その間の撮影画像を含めずに画像合成を行う技術が開示されている。
【先行技術文献】
【特許文献】
【０００４】
【特許文献１】特開２０１５−１２５４２５号公報
【特許文献２】特開２０１５−２３３２５０号公報
【発明の概要】
【発明が解決しようとする課題】
【０００５】
しかしながら、上記の特許文献に開示された従来技術では、撮影画像に不要な被写体や照明などの外乱が入り込んだことを検知し、その間の画像を抜いて合成を行うため、外乱が多い場合、最終的に合成した画像が不自然となってしまい、撮影失敗となる恐れがある。
【０００６】
そこで本発明は、合成するための複数の画像を撮影する一連の撮影の途中で、外乱光源による、望ましくない変化が与える撮影画像への影響を抑え、撮影失敗の可能性を低減した撮像装置を提供することを目的としている。
【課題を解決するための手段】
【０００７】
上記の目的を達成するために、本発明に係る像装置は、発光部材を持った外部機器との通信手段を備えた撮像装置であって、前記撮像装置は、前記撮像装置の位置情報判別手段と、前記撮像装置の方位情報判別手段と、前記外部機器の位置情報取得手段と、前記外部機器の照明部材制御手段と、を備え、前記撮像装置が露光撮影中、撮影画角である第一の範囲よりも所定の角度広い、第二の範囲内に前記外部機器が位置することを検知した場合、前記外部機器の照明部材を制御することを特徴とする。
【発明の効果】
【０００８】
本発明によれば、撮影者にとって望ましくない外部機器の発光が与える撮影画像への影響を抑え、撮影失敗の可能性を低減した撮像装置の提供を実現できる。
【図面の簡単な説明】
【０００９】
【図１】本実施形態の撮像装置１００の外観斜視図である。
【図２】本実施形態の撮像装置１００の構成を示すブロック図である。
【図３】本実施形態の外部機器であるスマートフォン６００の外観斜視図である。
【図４】実施形態１における、撮像装置１００とスマートフォン６００、及び撮影者を上空から見た位置関係を示す図である。
【図５】本実施形態における、スマートフォン６００の表示部６０１に警告通知を表示させた状態を示す図である。
【図６】実施形態１の処理を示したフローチャートである。
【図７】実施形態２における、撮像装置１１００とスマートフォン１６００、及び撮影者を上空から見た位置関係を示す図である。
【図８】実施形態１の処理を示したフローチャートである。
【発明を実施するための形態】
【００１０】
以下、本発明を実施する形態について、図面を参照しながら詳細に説明する。
【実施例１】
【００１１】
図１に、本発明の撮像装置の外観図を示す。図１（ａ）は撮像装置１００の前面斜視図であり、図１（ｂ）は撮像装置１００の背面斜視図である。
【００１２】
表示部４０は撮影画像や各種情報を表示可能である。レリーズ釦６１は撮影指示を行うための操作部である。モード切り替えダイヤル６０は、動作モードを静止画記録モード、動画記録モード等に切り替える。静止画記録モードに含まれるモードとして、オート撮影モード、オートシーン判別モード、マニュアルモード、絞り優先モード（Ａｖモード）、シャッター速度優先モード（Ｔｖモード）、プログラムＡＥモード、カスタムモード等がある。メイン電子ダイヤル７１は回転操作部材であり、このメイン電子ダイヤル７１を回すことで、モード切り替えダイヤル６０にて設定されたモードに応じてシャッター速度や絞りなどの設定値の変更等を行う。
【００１３】
電源スイッチ７２は撮像装置１００の電源のＯＮ及びＯＦＦを切り替える操作部材である。十字キー７４は、上、下、左、右部分をそれぞれ押し込み可能な十字キーである。ＳＥＴ釦７５は押し釦であり、主に選択項目の決定などに用いられる。拡大釦７７は、撮影モードのライブビュー表示において拡大モードのＯＮ、ＯＦＦ、及び拡大モード中の拡大率の変更を行うための操作釦である。再生モードにおいては再生画像を拡大し、拡大率を増加させるための拡大釦として機能する。
【００１４】
再生釦７８は、撮影モードと再生モードとを切り替える操作釦である。撮影モード中に再生釦７８を押下することで再生モードに移行し、不図示の記録媒体２００に記録された画像のうち最新の画像を表示部４０に表示させることが可能である。クイックリターンミラー１２（以下、ミラー１２）は、不図示のシステム制御部８０の指示により、アクチュエータを動作させることでアップダウンされる。
【００１５】
ファインダ１６は、図２に示すペンタプリズム１４を介してフォーカシングスクリーン１３を観察することで、レンズユニット１５０を通して得た被写体像の焦点や構図の確認を行うための光学ファインダである。グリップ部９０は、撮影者が撮像装置１００を構えた際に右手で握りやすい形状とした把持部である。インターフェース部９５には、ＵＳＢ端子やリモコンジャックなど、外部機器を接続するための端子類が備えられており、撮影者は必要に応じて、撮像装置１００に外部機器を接続し撮影操作を行う。
【００１６】
撮像装置１００にはＧＰＳモジュール３００、方位センサ４００が搭載されている。ＧＰＳモジュール３００は、上空の衛星と通信し撮像装置１００の位置情報を取得可能である。位置情報は、撮影した画像のＥＸＩＦに埋め込まれ、撮影画像を後から閲覧する際にどこで撮った画像であるかが判別可能である。また、撮像装置１００の現在の位置情報を表示部４０に表示することも可能である。ＧＰＳモジュール３００は、上空の衛星と通信を行うため、撮像装置１００の上部に配置されることが一般的である。
【００１７】
方位センサ４００は、地磁気を計測することで、センサ、すなわち撮像装置１００が向いている方位情報を取得可能である。取得した方位情報は、ＧＰＳモジュール３００による位置情報と同様に、撮像装置１００の表示部４０に表示したり、撮影画像のＥＸＩＦに付与することが可能である。
【００１８】
さらに撮像装置１００には、Ｗｉ−Ｆｉモジュール５００が搭載されている。このＷｉ−Ｆｉモジュール５００を使用することにより、撮像装置１００と外部機器、例えば他の撮像装置やＰＣ、スマートフォンなどのモバイル機器と通信を行うことができる。撮影者は任意の外部機器と通信を行い、撮影画像の送受信や、通信相手の制御が可能である。また、上記のＧＰＳモジュール３００による位置情報、方位センサ４００の方位情報の通信を行うことで、通信相手の位置、方位を把握することが可能である。
【００１９】
図２は、本実施形態による撮像装置１００の構成例を示すブロック図である。
【００２０】
図２において、レンズユニット１５０は、交換可能な撮影レンズを搭載するレンズユニットである。
【００２１】
レンズ１０３は通常、複数枚のレンズから構成されるが、ここでは簡略化して一枚のレンズのみで示している。レンズ側通信端子６はレンズユニット１５０が撮像装置１００側と通信を行うための通信端子であり、撮像装置側通信端子１０は撮像装置１００がレンズユニット１５０側と通信を行うための通信端子である。レンズユニット１５０は、この通信端子６、１０を介してシステム制御部８０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００２２】
ＡＥセンサ１７は、レンズユニット１５０を通した被写体の輝度を測光する。
【００２３】
焦点検出部１１は、システム制御部８０にデフォーカス量情報を出力する。システム制御部８０はそれに基づいてレンズユニット１５０を制御し、位相差ＡＦを行う。
【００２４】
ミラー１２は、露光、ライブビュー撮影、動画撮影の際にシステム制御部８０から指示されて、不図示のアクチュエータによりアップダウンされる。ミラー１２は、レンズ１０３から入射した光束をファインダ１６側と撮像部２２側とに切り替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００２５】
撮影者は、ペンタプリズム１４とファインダ１６を介して、フォーカシングスクリーン１３を観察することで、レンズユニット１５０を通して得た被写体の光学像の焦点や構図の確認が可能となる。
【００２６】
ファインダ内表示部２６は、フォーカシングスクリーン１３へＬＥＤ光を投光する装置であり、観察される被写体像に測距点や測距エリアなどの情報をファインダ１６内に表示する（スーパーインポーズする）ために用いられる。
【００２７】
シャッター１０１は、システム制御部８０の制御で撮像部２２の露光時間を自由に制御できるフォーカルプレーンシャッターである。
【００２８】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２９】
画像処理部２５は、Ａ／Ｄ変換器２３からのデータ、またはメモリ制御部１５からのデータに対し所定の画素補間、縮小といったリサイズ処理や色変換処理を行う。また、画像処理部２５では、撮像した画像データを用いて所定の演算処理が行われ、得られた演算結果に基づいてシステム制御部８０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２５ではさらに、撮像した画像データを用いて所定の演算処理を行い、得られた演算結果に基づいてＴＴＬ方式のＡＷＢ（オートホワイトバランス）処理も行っている。
【００３０】
Ａ／Ｄ変換器２３からの出力データは、画像処理部２５及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部４０に表示するための画像データを格納する。メモリ３２は、所定枚数の静止画像や所定時間の動画像及び音声を格納するのに十分な記憶容量を備えている。
【００３１】
また、メモリ３２は画像表示用のメモリ（ビデオメモリ）を兼ねている。Ｄ／Ａ変換器２４は、メモリ３２に格納されている画像表示用のデータをアナログ信号に変換して表示部４０に供給する。こうして、メモリ３２に書き込まれた表示用の画像データはＤ／Ａ変換器２４を介して表示部４０により表示される。表示部４０は、Ｄ／Ａ変換器２４からのアナログ信号に応じた表示を行う。Ａ／Ｄ変換器２３によって一度Ａ／Ｄ変換されメモリ３２に蓄積されたデジタル信号をＤ／Ａ変換器２４においてアナログ変換し、表示部４０に逐次転送して表示することで、電子ビューファインダとして機能し、スルー画像表示（ライブビュー表示）を行える。
不揮発性メモリ５６は、電気的に消去・記録可能なメモリであり、例えばＥＥＰＲＯＭ等が用いられる。不揮発性メモリ５６には、システム制御部８０の動作用の定数、プログラム等が記憶される。
【００３２】
システム制御部８０は、撮像装置１００全体を制御する。前述した不揮発性メモリ５６に記録されたプログラムを実行することで、各処理を実現する。システム制御部８０はメモリ３２、Ｄ／Ａ変換器２４、表示部４０等を制御することにより表示制御も行う。５３は水準器であり、撮像装置１００が水平状態からどれだけ傾いているかを検知し、システム制御部８０に通知する。システム制御部８０で算出された傾き値は、表示部４０に水準器表示され、撮影者に撮像装置１００がどの程度傾いているか通知する。
【００３３】
モード切り替えダイヤル６０、第１レリーズスイッチ６２、第２レリーズスイッチ６４、操作部７０はシステム制御部８０に各種の動作指示を入力するための操作手段である。
【００３４】
第１レリーズスイッチ６２は、撮像装置１００に設けられたレリーズ釦６１の操作途中、いわゆる半押し（撮影準備指示）でＯＮとなり第１レリーズスイッチ信号ＳＷ１を発生する。第１レリーズスイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３５】
第２レリーズスイッチ６４は、レリーズ釦６１の操作完了、いわゆる全押し（撮影指示）でＯＮとなり、第２レリーズスイッチ信号ＳＷ２を発生する。システム制御部８０は、第２レリーズスイッチ信号ＳＷ２により、撮像部２２からの信号読み出しから記録媒体２００に画像データを書き込むまでの一連の撮影処理の動作を開始する。
【００３６】
操作部７０は、撮影者からの操作を受け付ける入力部としての各種操作部材である。操作部７０には、メイン電子ダイヤル７１、十字キー７４、ＳＥＴ釦７５、ライブビュー釦７６、拡大釦７７、再生釦７８等が含まれる。
【００３７】
操作部７０の各操作部材は、表示部４０に表示される種々の機能アイコンを選択操作することにより、場面ごとに適宜機能が割り当てられ、各種機能釦として作用する。機能釦としては、例えば終了釦、戻る釦、画像送り釦、ジャンプ釦、絞込み釦、属性変更釦等がある。例えば、メニュー釦７９が押されると各種の設定可能なメニュー画面が表示部４０に表示される。利用者は、表示部４０に表示されたメニュー画面と、上下左右の４方向釦７４やＳＥＴ釦７５とを用いて直感的に各種設定を行うことができる。
【００３８】
電源制御部８５は、電池検出回路、ＤＣ−ＤＣコンバータ、通電するブロックを切り替えるスイッチ回路等により構成され、電池の装着の有無、電池の種類、電池残量の検出を行う。また、電源制御部８５は、その検出結果及びシステム制御部８０の指示に基づいてＤＣ−ＤＣコンバータを制御し、必要な電圧を必要な期間、記録媒体２００を含む各部へ供給する。
【００３９】
記録媒体Ｉ／Ｆ２０は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００４０】
接眼検出部１８は撮影者がファインダ１６を覗いていることを検出するためのセンサであり、ファインダ１６付近に設定された赤外発光装置及びその反射光の受光装置で構成されている。
【００４１】
ＧＰＳモジュール３００は、上空の衛星と通信し取得した位置情報をシステム制御部８０に通知する。システム制御部８０で算出された位置情報の値は、表示部４０に表示され、撮影者に現在位置を通知し、また撮影画像を記録媒体２００に記録する際、ＥＸＩＦに位置情報を付与する。
【００４２】
方位センサ４００は、地磁気を計測し、計測した値をシステム制御部８０に通知する。システム制御部８０で算出された方位情報の値は、表示部４０に表示され、撮影者に撮像装置１００の向いている方位を通知し、また撮影画像を記録媒体２００に記録する際、ＥＸＩＦに方位情報を付与する。
【００４３】
Ｗｉ−Ｆｉモジュール５００は、撮像装置１００が外部機器と通信する際に用いられる。撮像装置１００で撮影した画像データを外部機器に送信したり、他の撮像装置から画像データを受信し、システム制御部８０を通して記録媒体２００に記録することも可能である。また、Ｗｉ−Ｆｉモジュール５００を用いて、撮像装置１００から外部機器への操作制御を行うことも可能である。また、その逆として外部機器をリモートコントローラーとし、撮像装置１００の設定変更や撮影操作などの制御に用いることも可能である。
【００４４】
図３（ａ）（ｂ）は、撮像装置１００とＷｉ−Ｆｉ通信を行う外部機器として代表的な、スマートフォン６００の正面斜視図、背面斜視図である。
【００４５】
スマートフォン６００には表示部６０１、カメラ部６０２、ライト部６０３が備えられている。表示部６０１はタッチパネルを備えた操作画面として、ユーザーがタッチ操作によりスマートフォン６００を操作する。また、撮像装置１００とＷｉ−Ｆｉ通信を行うことで、撮像装置１００で撮像した画像を表示したり、撮像装置１００のライブビュー画面を表示し、スマートフォン６００から撮像装置１００の操作を行うのにも使用される。カメラ部６０２は、表示部６０１と反対面に設置されている。ユーザーは表示部６０１でカメラ部６０２のスルー画像を確認しながら、スマートフォン６００単体での撮影が可能である。
【００４６】
ライト部６０３は、ＬＥＤなどの光源部であり、カメラ部６０２による撮影時にストロボとして使用可能である。また、スマートフォン６００による撮影を行わない際でも、ライト部６０３を単体で点灯させ、懐中電灯のように暗所を照らす目的としての使用も可能である。スマートフォン６００は、Ｗｉ−Ｆｉモジュール６０４を内蔵しており、撮像装置１００その他外部機器と通信可能である。また、スマートフォン６００は、ＧＰＳモジュール６０５、方位センサ６０６を搭載している。
【００４７】
ＧＰＳモジュール６０５、方位センサ６０６により、スマートフォン６００は自身の位置情報、方位情報を取得することが可能である。取得した位置情報、方位情報は、カメラ部６０２で撮影した画像に付与されるほか、表示部６０１に地図表示を行うなどしてユーザーに現在位置、向いている方位を通知することが可能である。
【００４８】
ところで、星空やオーロラなど、暗所において撮影を行う場合、一般的に長いシャッタースピードに設定し、長秒時露光撮影を行うことが多い。その場合、撮影者は撮像装置１００を三脚等にセットし、所望の構図となるよう画角を決定する。設定したシャッタースピードは数秒〜数十分に及ぶこともあり、その間は撮像装置１００を動かすこともできなければ、周囲環境に外乱となる光源があってはならない。例えば撮像装置１００で長秒時露光撮影を行っている間、撮影者、または周囲の人が不用意にスマートフォン６００の表示部６０１、ライト部６０３を点灯し、その光源が撮像装置１００の画角に入り込み、撮影失敗する場合がある。また、撮像装置１００の画角に入り込まなくても、画角付近で強い光源を点灯させることにより、その光源の拡散光や付近の物体への反射光、ゴースト等が撮影画像に写りこみ撮影失敗することもある。
【００４９】
図４は、撮像装置１００と、光源となるスマートフォン６００、及び撮影者を上空から見た位置関係を示した簡略図である。
【００５０】
撮影者は撮像装置１００及びレンズ１５０を図示しない三脚等に固定し、構図を決定し撮影スタートさせる。ここで決定した撮像装置１００の画角は第一の範囲７０１として示す。撮影者、もしくは周囲の人がスマートフォン６００のような光源を持っており、（ａ）位置のように第一の範囲７０１に入り込んだ状態で表示部６０１を点灯させるとする。その際、撮像装置１００の感度やスマートフォン６００の光源強度によっては、その光源の拡散光や付近の物体への反射光、ゴースト等が撮影画像に写りこんでしまう。さらに、光源が第一の範囲７０１に入り込まない場合でも、（ｂ）位置のように第一の範囲７０１の付近でライト部６０３が強い光を発すると、同じく撮影画像に写りこんでしまい、撮影失敗となる。この時の範囲を第二の範囲７０２とする。第二の範囲７０２については、あらかじめ第一の範囲７０１から左右に数度〜数十度の範囲で設定されており、撮影者が適宜設定、変更することが可能である。また、第二の範囲７０２は、第一の範囲７０１の変化、すなわちズーミングにより連動し、第一の範囲７０１よりも常に設定した所定の角度だけ広い範囲となる。
【００５１】
本発明において、撮像装置１００とスマートフォン６００は、上述のＷｉ−Ｆｉモジュール５００、６０４を用いてあらかじめ通信状態、所謂ペアリング状態にある。さらに、ＧＰＳモジュール３００、６０５、方位センサ４００、６０６を用いて、それぞれの位置情報を取得しており、その位置情報をＷｉ−Ｆｉ通信することで、互いの位置を検知可能な状態にある。上述のように撮像装置１００が長秒時露光中に、撮影者、または他の人が持ったスマートフォン６００が第二の範囲７０２の内側に入り込み、スマートフォン６００の表示部６０１を不用意に点灯させようとする。撮像装置１００はスマートフォン６００が範囲７０２内に存在することを検知し、露光中に光源が発せられると撮影失敗となる恐れがあると判断する。この場合、撮像装置１００は、スマートフォン６００の表示部６０１に、警告画面を表示するよう制御を行う。警告画面は図５のように撮像装置１００が長秒時露光中である旨を撮影者に通知するためのものであるが、背景色を黒などとし、撮影画像に影響の少ないものとする。また、範囲７０２内でスマートフォン６００のライト部６０３を点灯させようとする場合、撮像装置１００からのＷｉ−Ｆｉ通信によりライト部６０３の光量制御を行う。
【００５２】
図６は、実施例１における、一連の動作を示すフローチャートである。
【００５３】
まず、ステップＳ００１において、撮像装置１００とスマートフォン６００は、ＧＰＳモジュール３００、６０５、方位センサ４００、６０６により、夫々の位置情報を取得している。ステップＳ００２において、撮影開始前に、あらかじめ撮像装置１００とスマートフォン６００はペアリングされ、本発明の光源制御のみならず、画像の送受信やリモート操作が可能な状態となっている。
【００５４】
ステップＳ００３で撮像装置１００は長秒時露光撮影モードに設定され、ステップＳ００４で撮影を開始する。ステップＳ００４で撮影開始後、ステップＳ００５において、撮像装置１００はスマートフォン６００と通信状態にあるか、定期的に確認を行う。撮像装置１００とスマートフォン６００の通信が切れるのは、スマートフォン６００が撮像装置１００からＷｉ−Ｆｉの通信距離以上に離れた場合や、撮像装置１００とスマートフォン６００の間に建物などの遮蔽物が介在する場合である。その後、ステップＳ００６において撮像装置１００はスマートフォン６００のＧＰＳ情報を取得する。
【００５５】
ステップＳ００７において、撮像装置１００は、自身の位置情報、方位情報とスマートフォン６００の位置情報を相対比較することにより、スマートフォン６００が範囲７０２内に存在するかどうかの判定を行う。スマートフォン撮像装置１００に対してスマートフォン６００が範囲７０２に存在する場合、ステップＳ００８に移行する。ステップＳ００８において、スマートフォンの表示部６０１やライト部６０３が点灯される場合、撮像装置１００は、長秒時露光中の外乱光源が入り込む可能性があると判断する。この場合、ステップＳ０１０に移行し表示部６０１に図５のように警告画面を出す、もしくはライト部６０３の光量を制御する。
【００５６】
ステップＳ００７において、スマートフォン６００が範囲７０２にない場合、もしくは範囲７０２内でも表示部６０１やライト部６０３の点灯がされない場合は、撮像装置１００からスマートフォン６００への光源制御は行われない。その後、ステップＳ０１１にて撮影終了後、ステップＳ０１２で撮影データが記録媒体２００に保存される。ステップＳ０１３において、再度長秒時撮影を行う場合はステップＳ００５に戻り、撮影終了の場合は上記一連の動作が終了される。
【００５７】
これにより、スマートフォン６００が、撮像装置１００の第二の範囲７０２内に存在する場合、スマートフォン６００による光源が不用意に発せられ、撮影画像に外乱としての光源が写り込み、撮影失敗するのを防ぐことができる。
【実施例２】
【００５８】
以下、図７を用いて、本発明の第２の実施例を説明する。
【００５９】
図７は、図４と同様、長秒時露光中の撮像装置と、撮像装置周辺にいる人物を上空から見た図である。
【００６０】
１１００は撮像装置、１６００はスマートフォン、１７００は撮像装置１１００の撮影範囲となる画角である。撮像装置１１００、スマートフォン１６００にはそれぞれ、方位センサ４００、６０６が搭載されている。方位センサ４００および６０６は、上述のように地磁気を利用し、撮像装置１１００、スマートフォン１６００の向いている方位を判別可能である。本発明において、撮像装置１１００とスマートフォン１６００は、前述のＷｉ−Ｆｉモジュール５００、６０４を用いて通信状態にある。さらに、ＧＰＳモジュール３００、６０５、方位センサ４００、６０５を用いて、互いの位置、向いている方向を検知可能な状態にある。
【００６１】
図７において、範囲７０１内の（ｃ）位置にスマートフォン１６００を持つ人物がおり、撮像装置１１００と反対向きにライト部１６０３を点灯させる。この場合、ライト部１６０３はその向きから、撮影画像の外乱光源となる可能性が低い。撮像装置１１００はスマートフォン１６００の位置、光源の向きを検知し、撮影画像の外乱光源とならないと判断し、ライト部１６０３の光量制御をおこなわない。同じく図７において、（ｃ）位置にいるスマートフォン１６００の表示部１６０１を点灯させようとする場合、表示部１６０１の光の向きは撮像装置１１００の方向を向いており、撮影画像に対して外乱光源となる可能性がある。この場合、撮像装置１１００はスマートフォン１６００の位置、光源の向きを検知し、表示部１６０１に図５のように、撮像装置１１００が長秒時露光中である旨を通知するよう制御を行う。
【００６２】
また、図７において、範囲７０２外である（ｄ）位置にスマートフォン１６００を持つ人物がおり、撮像装置１１００と反対の向きに表示部１６０１を点灯させる。この場合、撮像装置１１００はスマートフォン１６００の位置及び表示部１６０１の方向を検知し、撮影画像の外乱光源とはならないと判断し、表示部１６０１の制御をおこなわない。同じく図７の（ｄ）位置において、撮像装置１１００の操作部を照らすため、撮影者が撮像装置１１００の向きにライト部１６０３を点灯させようとする。この場合、光源であるライト部１６０３は撮像装置１１００の背面に位置するが、撮像装置１１００から近距離かつ強い光源であることから、撮影画像の外乱光源となる可能性がある。撮像装置１１００はスマートフォン１６００の位置及びライト部１６０３の方向を検知し、撮影画像の外乱光源と判断し、ライト部１６０３の光量を制御する。
【００６３】
図８は、実施例２における、一連の動作を示すフローチャートである。
【００６４】
ステップＳ１０１の位置情報取得からステップＳ１０６の外部機器位置補足、またステップＳ１１１の撮影終了からステップＳ１１３の撮影続行判断は実施例１と同様の流れである。ステップＳ１０６で撮像装置１１００がスマートフォン１６００の位置、方向を検知した後、スマートフォン１６００が表示部１６０１、もしくはライト部１６０３を点灯させようとする。
【００６５】
ステップＳ１０８において、撮像装置１１００は、スマートフォン１６００の光源が撮像装置１１００の方向を向いているか否かを判断し、向いている場合はステップＳ１１０に移行し、スマートフォン１６００の光源制御を行う。ステップＳ１０８において、スマートフォン１６００の光源が撮像装置１１００方向を向いていないと判断されると、ステップＳ１０９に移行し、光源制御を行わない。
【００６６】
これにより、スマートフォン１６００が、撮像装置１１００の付近に存在し、スマートフォン１６００による光源が撮像装置１１００の方向に不用意に発せられ、撮影画像に外乱としての光源が写り込むのを防ぐことができる。さらに、スマートフォン１６００が撮像装置１１００付近に存在しても、スマートフォン１６００の光源が撮像装置１１００の方向に向いていなければ光源制御されないため、スマートフォン操作の妨げになることがない。
【００６７】
以上、本発明の好ましい実施形態について説明したが、本発明はこれらの実施形態に限定されず、その要旨の範囲内で種々の変形及び変更が可能である。
【符号の説明】
【００６８】
１００  撮像装置、１５０  レンズユニット、３００  ＧＰＳモジュール、
４００  方位センサ、５００  Ｗｉ−Ｆｉモジュール、６００  スマートフォン、
６０１  表示部、６０２  カメラ部、６０３  ライト部、６０４  Ｗｉ−Ｆｉ部、
６０５  ＧＰＳ部、６０６  方位センサ部、７０１  第一の範囲、７０２  第二の範囲
【図１】
2020071355.tif 000003
【図２】
2020071355.tif 000004
【図３】
2020071355.tif 000005
【図４】
2020071355.tif 000006
【図５】
2020071355.tif 000007
【図６】
2020071355.tif 000008
【図７】
2020071355.tif 000009
【図８】
2020071355.tif 000010